(57)【要約】      （修正有）【課題】持ち手の長さを簡単に変えることができると共に、傷みやすい持ち手を交換することで長く使えるファッション性の高いバッグを提供する。【解決手段】バッグ本体３と持ち手部２間にベルト部５と取り付け部６からなる持ち手取り付け部９を設けることで、傷みやすい持ち手部分を交換可能とすると共に、持ち手の長さ調整も行う事ができるようにする。【選択図】図１
0003195173.tif 000002
【実用新案登録請求の範囲】
【請求項１】
二本の持ち手部を設けたバッグにおいて、
バッグ本体と前記持ち手間に持ち手取り付け部を設け、
前記持ち手取り付け部を介して取り外し可能な交換持ち手を取り付け
前記持ち手部を構成した
ことを特徴としたバッグ。
【請求項２】
請求項１に記載のバッグであって、
前記交換持ち手部は長さ調節可能な長さ調整部を設けた
ことを特徴とするバッグ。
【請求項３】
請求項１から２の何れか一項に記載のバッグであって、
前記持ち手取り付け部は、ベルト状のベルト部とベルト部を取り付ける取り付け部で構成された
ことを特徴とするバッグ。
【請求項４】
請求項１から３の何れか一項に記載のバッグであって、
前記持ち手取り付け部は、ベルト部の貫通孔と美錠によって取り付けた
ことを特徴とするバッグ。
【請求項５】
請求項１から３の何れか一項に記載のバッグであって、
前記持ち手取り付け部は、ナスカンによって取り付けた
ことを特徴とするバッグ。
【請求項６】
請求項１から３の何れか一項に記載のバッグであって、
前記持ち手取り付け部は、お互いが勘合し合う金具により取り付けた
ことを特徴とするバッグ。
【請求項７】
請求項３に記載のバッグであって、
前記交換持ち手の前記ベルト部を全体と異なる色で構成された
ことを特徴とするバッグ。
【考案の詳細な説明】
【技術分野】
【０００１】
本考案は、持ち手付きのバッグに関する。
【背景技術】
【０００２】
持ち手付きのバッグは、持ち手を肩に掛けたり、肘を曲げて腕に吊り下げたり、掌で握り吊り下げたりして持ち運ぶ事が有る。しかしながら、肩に掛ける時は、持ち手の長さが長く必要で、肩が入らなければならない。特に冬場などにコートを来た状態で肩に掛けるには長さを必要とする。
一方で、肘を曲げて腕に掛けたり、掌で握りぶら下げ、吊り下げたりする場合において、持ち手が長いと歩く際の揺れ動きが大きく、いわゆるブラブラ感が強くなると共に、大きめなバッグにおいては、底が地面に近くなり、路上などの突起物などにぶつけたりしやすくなるばかりか、自らの足首部付近にからみつき易くなり歩きにくくなる。
また、バッグは、持ち手部が傷みやすく、バッグ本体はまだそれほど傷んでいないのに、持ち手部が傷んで使えないケースが発生する。特に、女性の使用する高級なバッグにおいては見た目の形状などからのおしゃれ感が要求されると共に、持ち手が傷んだだけで廃棄しなければならなくなる事も多い。また、持ち手が切れるなどにより使用できなくなることも有る。さらに、高価なバッグでも固定の色になりバッグに変化を付けにくく洋服などとのカラーコーディネートが難しく、そのために選択の幅が狭くなりがちであった。
【０００３】
例えば、特許文献１には、鞄の上部の持ち手の横に、または、鞄の側面に長さ調節の可能な手の甲に掛ける持ち手を、余分に付加したものが開示されている。
また、特許文献２には、片側の持ち手を２本以上に設置し、一本の付け根部を着脱可能とし、底部付近の固定された取付部に取り付けることにより、ショルダーベルトとなるバッグが開示されている。
これらの文献は、それぞれにおいて、２本の持ち手以外に第３の持ち手が設けられ、第３の持ち手は、使用する要求が無いときには不用で有り邪魔であると共に、おしゃれ感が無い。また、全ての持ち手の交換はできない。さらに、カラーコーディネートは難しい。
【先行技術文献】
【特許文献】
【０００４】
【特許文献１】特許公開２００９−１４８５１５号公報
【特許文献１】実用新案登録第３１５０７４５号公報
【考案の概要】
【考案が解決しようとする課題】
【０００５】
持ち手付きのバッグは、持ち手を肩に掛けたり、肘に吊り下げたり、掌で握りぶら下げ、吊り下げたりした場合にそれぞれの適正な持ち手の長さを必要とする。このため、バッグの持ち手の長さを簡単に変えることでバッグを持ちやすくしようとする。
また、バッグ自信のおしゃれ感を保ちながら、洋服などとカラーコーディネートしやすくする。
傷みやすい持ち手を交換できることで長く使えるファッション性の高いバッグとする。
以上の課題を解決するものである。
【０００６】
そこで本考案は、持ち手付きバッグにおいて、持ち手を肩に掛けたり、肘に吊り下げたり、掌で握りぶら下げたりとした場合にそれぞれの適正な持ち手の長さに調節できるだけではなく、持ち手部を交換可能とする事で、持ち手部の色やデザインの変化を楽しめるとともに、傷んだ持ち手を交換する事で長く使用できるバッグを提供しようとするものである。
【課題を解決するための手段】
【０００７】
上記課題を解決するために、本考案に係るバッグは、二本の持ち手部を設けたバッグにおいて、
バッグ本体と前記持ち手間に持ち手取り付け部を設け、
前記持ち手取り付け部を介して取り外し可能な交換持ち手を取り付け
前記持ち手部を構成した
ことを特徴としたバッグである。
前記交換持ち手部は長さ調節可能な長さ調整部を設けた
ことを特徴とするバッグである。
前記持ち手取り付け部は、ベルト状のベルト部とベルト部を取り付ける取り付け部で構成された
ことを特徴とするバッグである。
前記持ち手取り付け部は、ベルト部の貫通孔と美錠によって取り付けた
ことを特徴とするバッグである。
前記持ち手取り付け部は、ナスカンによって取り付けた
ことを特徴とするバッグである。
前記持ち手取り付け部は、お互いが勘合し合う金具により取り付けた
ことを特徴とするバッグである。
前記交換持ち手の前記ベルト部を全体と異なる色で構成された
ことを特徴とするバッグである。
【考案の効果】
【０００８】
本考案によれば、いろいろな持ち方が可能で使いやすいと共に、洋服などとカラーコーディネートするなど色やデザインの変化を楽しめるとともに、傷んだ持ち手を交換でき、長く使えるおしゃれなバッグが実現できる。
【図面の簡単な説明】
【０００９】
【図１】（ａ）は、本考案の第一の実施形態のバッグの斜視図である。（ｂ）は、持ち手を短くした斜視図である。（c）は、持ち手を外した斜視図である。
【図２】本考案の第一の実施形態のバッグを持った写真である。
【図３】（ａ）は、本考案の第二の実施形態のバッグの斜視図である。（ｂ）は、持ち手を短くした斜視図である。（ｃ）は、持ち手を外した斜視図である。
【図４】（ａ）は、本考案の第三の実施形態のバッグの斜視図である。（ｂ）は、持ち手の金具部を外した状態の説明図である。（ｃ）は、持ち手の金具部を嵌合した状態の説明図である。
【図５】本考案の第三の実施形態の変形例のバッグの持ち手の嵌合部説明図である。
【図６】本考案の第三の実施形態の変形例でナスカンを利用した交換持ち手とバッグ本体の取り付け部の説明図である。
【考案を実施するための形態】
【００１０】
本考案の実施の形態について、以下、図に基づいて説明する。
＜第一の実施形態＞
図１（ａ）は、本考案の第一の実施形態のバッグの斜視図である。
（ｂ）は、持ち手を短くした斜視図である。
（ｃ）は、持ち手を外した斜視図である。
【００１１】
図１（ａ）に示すように、バッグ１は、二本の交換持ち手２とバッグ本体３で構成され、交換持ち手２は、皮を丸め芯を入れた握り部４と、ベルト状のベルト部５を設けると共に、バッグ本体３に、取り付け部６を設け、持ち手取り付け部９を構成したもので、取り付け部には美錠７が、ベルト部５には、前記美錠７に組み合わせる貫通孔１５が３個設けられ、ベルト部５の先端の貫通孔１５に美錠７が組み合わされた状態を示し、交換持ち手を取り付けた状態の持ち手は肩に掛けられる様に長い構成となっている。
例えば、直線上にした場合の持ち手の実質的な長さは、長いところで４８ｃｍとしたものである。
図１（ｂ）は、ベルト部５の先端から三個目の貫通孔１５に美錠７が組み合わされた状態を示す。持ち手は、図１（ａ）と比べ短い構成となっている。
図１（ｃ）は、ベルト部５を美錠７から取り外した状態を示す。持ち手は、このように交換が可能であることを示す。
ここでベルトの貫通孔１５は３個であるが、適宜数を増減しても良いものである。
肩にかける長さは人により異なり、持ち手の取り付け幅や、バッグの口の広さ、また持ち手の素材により異なるが、コートを着て肩に通す場合には４０ｃｍから６０ｃｍが良く、一般的な女性の場合４２ｃｍから５２ｃｍを適当する。握りで吊り下げ使用時に短くする場合は１５ｃｍから３５ｃｍが良く、一般的な女性の場合は、２０ｃｍ〜３０ｃｍが適当とする。また、持ち手の長さを例えば、３ｃｍから５ｃｍ間隔で３から５段階に詰められる様にするのが良い。
ここでは、持ち手素材は皮としているか、合皮素材や、布製などの素材や、プラスチック樹脂などでも良く、また、これらの組合せでも良い。
例えば、握り部４は黒色とし、ベルト部５はローズ色とすることで、色の変化を楽しめると共に、持ち手取り付け部の視認性を高めると共に、デザインポイント、アクセントとすることができる。
また、握り部４はソフトな素材を使い、芯を入れると共に包み込み、合わせ目を太めの皮糸となどで縫い付け滑り止め効果を出し、ベルト部５はベルト表面を表向きで背中合わせに二枚重ねて使用し、握り部の接合部を挟み込み縫い付けることにより、意匠性高いものとなると共に、肩などにかけた際に、肩にやさしく、しかも、肩にソフトに掛かると共に、縫い目が掛かり滑りにくい形状が構成される。
また、握り部４とベルト部５は、異なった色やデザイン形状とすることで、感覚的な美感を変える事ができる。さらには、複数の交換持ち手を用意し持ち手の色を変えることで、シチュエーションに合わせたり、洋服に合わせたりとファッショナブルにカラーコーディネートして使用する事が可能となる。
ここでは、ベルト部の形状の変化例は記してないが、ベルト部に膨らみを持たせたり、段差を持たせたり、編み込みをしたり、絵柄をつけたりしても良いものである。
【００１２】
図２は、考案の第一の実施形態のバッグを持った写真である。
（ａ）は、交換持ち手を長くし、肩にかけた図を示す。
（ｂ）は、交換持ち手を中の長さとし、肘を曲げて腕に掛けた図を示す。
（ｃ）は、交換持ち手を短くし、掌で握り吊り下げた図を示す。
バッグの重心が膝付近ないし、膝上に位置し、揺れも少なく、持ちやすい事が伺える。
ここでは、大きめなバッグを示しているが、小さめなバッグの場合は、さらに、揺れが少なくなり、扱いやすい。
特に最近では、大きめなバッグと小さなバッグの２つを持ち歩く女性が増えている。小さなバッグは手に下げ、大きめなバッグは、肩にかけたり、肩から下げたりするケースが多い。その際横揺れ、ブレは歩きにくく、持ちにくく扱いにくい。
（ｄ）は、交換持ち手が長いままで、掌で握り吊り下げた図を示す。
バッグの底が地面に近く、さらに、足のすね付近に当たりやすく持ちにくい状態が伺える。
＜第二の実施形態＞
次に、本発明の第二の実施形態について説明する。
【００１３】
図３は、（ａ）は、本考案の第二の実施形態のバッグの斜視図である。
（ｂ）は、持ち手を短くした斜視図である。
（c）は、持ち手を外した斜視図である。
取り付け部とベルト部の構成が、上記実施形態とは異なる。なお、上記実施形態と同様の構成には以後同様の符号を付し、その詳細な説明は省略する。
図３（ａ）に示すように、バッグ１は、二本の交換持ち手２とバッグ本体３で構成され、持ち手２は、芯を入れて皮を丸めた握り部４と、取り付け部６ａで構成し、バッグ本体３には、ベルト部５ａを設け、持ち手取り付け部９を構成したもので、取り付け部６ａには美錠７が、ベルト部５ａには、前記美錠７に組み合わせる貫通孔１５が３個設けられ、ベルト部５の先端の貫通孔１５に美錠７が組み合わされた状態を示し、持ち手は肩に掛けられる様に長い構成となっている。
図３（ｂ）は、ベルト部５ａの先端から三個目の貫通孔１５に美錠７が組み合わされた状態を示す。持ち手は、図１（ａ）と比べ短い構成となっている。
図３（ｃ）は、ベルト部５ａを美錠７から取り外した状態を示す。持ち手は、このように交換が可能であることを示す。
また、ここでは、バッグ表面のポケットをなくした形状を示しており、ベルト部は、バッグの底を覆い、持ち手の延長がカバンの底を持ち上げる形態とすることで、バッグの変形を抑える。
また、重心を支える役割を果たしていると共に意匠性をも高めている。
＜第三の実施形態＞
次に、本発明の第三の実施形態について説明する。
【００１４】
図４は、本考案の第三の実施形態のバッグの斜視図である。
交換持ち手を取り外した斜視図である。
取り付け部とベルト部の構成が、上記実施形態とは異なる。なお、上記実施形態と同様の構成には同様の符号を付し、その詳細な説明は省略する。
図４に示すように、バッグ１は、横長のバッグを示し、二本の交換持ち手２とバッグ本体３ので構成され、交換持ち手２は、全体がベルト状で、握り部４と、二段の嵌合鍵部１１の付いたベルト部５ｂで構成し、バッグ本体３には、嵌合受け部１０の付いた取り付け部６ｂを設けることで、持ち手取付部９が構成されている。
また、嵌合鍵部１１と嵌合受け部１０が組み合わされて交換持ち手２がバッグ本体３に取り付けられるものを示す。
（ｂ）は、嵌合鍵部１１と嵌合受け部１０の外した状態を示す。嵌合鍵部１１は、各先端が多少の弾性を持ったU字状となり、嵌合受け部１０の厚み部が勘合鈎部１０のＵ字状の内部にはまり込み勘合する構造としたもので、Ｕ字状の入り口は嵌合受け部１０の厚み部より稍狭くできている。
（ｃ）は嵌合させた状態を示す。
＜変形例１の実施形態＞
【００１５】
図５は、本考案の第三の実施形態の変形例のバッグの持ち手の嵌合部説明図である。
嵌合鍵部１１ａの先端の外寸Ａを嵌合受け部１０ａの内寸Ａを通し、お互いのＢ部で嵌合させる構造を示す。
嵌合受け部１０ａのＡの内寸は嵌合鍵部１１ａのＡの外寸を通し、嵌合鍵部１１ａのＢの外寸は嵌合受け部１０ａのＢの内寸に一致し、嵌合受け部のＣの内寸は嵌合鍵部１１ａのＢの外寸よりやや少なくしてあり、お互いの弾性で開き嵌合することで、嵌合が外れにくくしている。
図６は、ナスカンを利用した交換持ち手とバッグ本体の取り付け部の説明図である。
先端がチェーン状の交換持ち手２の取り付け部６ｂとバッグ本体３のベルト部６ｂで持ち手取付部９を構成したもので、交換持ち手２の取り付け部６ｂの嵌合受け部１０ｂに、バッグ本体３のベルト部６ｂの先端にナスカン８を設け、取り付け部６ｂの嵌合受け部１０ｂの先端に取り付けた状態を示す。嵌合受け部１０ｂのナスカンの取り付け位置を変更することにより、交換持ち手２の長さを変える事が可能である。また、チェーン状の嵌合受け部１０ｂを黒色や銀、金色などに変えることで交換持ち手のバリエーションを楽しめる。
上記ではチェーン状の金具を用いた説明をしてきたが、ベルト上に金属の輪を並べて取り付けても良く、ナスカン８が、交換持ち手側に設けられ、チェーン状のものがバッグ本体に設けられても良いものである。
【００１６】
以上、各実施形態に基づき交換持ち手とバッグ本体の取り付け方法の説明を行ってきたが、上記各実施形態は、交換持ち手とバッグ本体に設けられる取り付け部がお互いに反対に設けられても良いものであり、上記実施形態に示した要件に本考案が限定されるものではない。また、二本の持ち手以外に、ショルダー型のベルトなどを他に付属しても良いものである。
【符号の説明】
【００１７】
１：バッグ、２：交換持ち手、３：バッグ本体、４：握り部、５・５ａ・５ｂ：ベルト部、６・６ａ・６ｂ：取り付け部、７：美錠、８：ナスカン、９：持ち手取り付け部、１０・１０ａ・１０ｂ：嵌合受け部、１１・１１ａ・１１ｂ：嵌合鍵部、１５：貫通孔
【図１】
0003195173.tif 000003
【図２】
0003195173.tif 000004
【図３】
0003195173.tif 000005
【図４】
0003195173.tif 000006
【図５】
0003195173.tif 000007
【図６】
0003195173.tif 000008
【手続補正書】
【提出日】平成26年10月21日(2014.10.21)
【手続補正１】
【補正対象書類名】図面
【補正対象項目名】図３
【補正方法】変更
【補正の内容】
【図３】
0003195173.tif 000009
【手続補正２】
【補正対象書類名】図面
【補正対象項目名】図４
【補正方法】変更
【補正の内容】
【図４】
0003195173.tif 000010